(57)【要約】【課題】  簡素な構成であって配光が容易に可変可能な照明装置を提供する>【解決手段】  ＬＥＤ照明装置１は、基板２３、基板２３の一面２３ａ側に複数個のＬＥＤ２４が直列接続で設けられた第１のＬＥＤ群２８および複数個のＬＥＤ２４が直列接続されかつ第１のＬＥＤ群２８に逆並列接続で設けられた第２のＬＥＤ群２９，２９を有し、第１および第２のＬＥＤ群２８、２９，２９が基板２３上で非回転対称位置になるように配置されたＬＥＤモジュール１９と、ＬＥＤモジュール１９を配設している装置本体２と、第１および第２のＬＥＤ群２８、２９，２９に交流電圧を出力し、第１および第２のＬＥＤ群２８、２９，２９を交互にかつ異なる出力比率で点灯可能な点灯装置４と、を具備している。【選択図】図２
2014216289.tif 000002
【特許請求の範囲】
【請求項１】
基板、この基板の一面側に複数個のＬＥＤが直列接続で設けられた第１のＬＥＤ群および複数個のＬＥＤが直列接続されかつ前記第１のＬＥＤ群に逆並列接続で設けられた第２のＬＥＤ群を有し、前記第１および第２のＬＥＤ群が前記基板上で非回転対称位置になるように配置されたＬＥＤモジュールと;
このＬＥＤモジュールを配設している装置本体と；
前記第１および第２のＬＥＤ群に交流電圧を出力し、前記第１および第２のＬＥＤ群を交互にかつ異なる出力比率で点灯可能な点灯装置と；
を具備していることを特徴とするＬＥＤ照明装置。
【請求項２】
前記第１および第２のＬＥＤ群は、それらの直列接続された複数個のＬＥＤの合計順電圧が同等となるように設けられていることを特徴とする請求項１記載のＬＥＤ照明装置。
【請求項３】
前記点灯装置は、交流矩形波電圧を出力することを特徴とする請求項１または２記載のＬＥＤ照明装置。
【請求項４】
前記点灯装置は、正または負の少なくとも一方のデューティに休止期間を有する交流電圧を出力することを特徴とする請求項１ないし３いずれか一記載のＬＥＤ照明装置。
【発明の詳細な説明】
【技術分野】
【０００１】
本発明の実施形態は、配光制御が可能なＬＥＤモジュールを有するＬＥＤ照明装置に関する。
【背景技術】
【０００２】
ＬＥＤ照明器具は、一般に、照明光として白色光が使用されており、この白色光の演色性の向上や色温度の調整が図られている。例えば特許文献１において、ＬＥＤから放射される光の色温度を調整する発光装置が開示されている。この発光装置は、環状かつ円錐台形状のリフレクタを二つの分割領域部に分割し、この各分割領域部に複数個のＬＥＤチップ（近紫外半導体発光素子）が並列接続されて設けられ、各分割領域部のＬＥＤチップの極性が反転状態となって配線に接続されているものである。当該配線に交流矩形波電圧が印加することにより、各分割領域部のＬＥＤチップは、交互に点灯する。発光装置は、矩形波電圧のデューティに応じて各分割領域部の出力光の発光強度の比率が決定されるとともに、色温度の比率が決定される。そして、発光装置は、当該比率に従って決定される色温度の白色光が放射されるものである。すなわち、配線に交流矩形波電圧を印加し、そのデューティを制御することにより、発光装置からの出力光の色温度を自在に調整可能である。
【０００３】
そして、配光を可変可能なＬＥＤ照明器具として、例えば特許文献２に示すものが提案されている。この照明器具は、ＬＥＤの光源部が光源部支持軸に取り付けられ、回転軸と略直交する方向に光軸を向けて設置されている。そして、光源部支持軸は、反射鏡の回転軸上に配置され、駆動部によって回転軸を中心に回転されるとともに、回転軸に沿って上下移動されるものである。これにより、光源部の光線の配光方向を簡単に変更できるものである。
【先行技術文献】
【特許文献】
【０００４】
【特許文献１】特開２００９−２３８７２９号公報（第４０−４１頁、第１９−２１図）
【特許文献２】特開２０１２−２８２５７号公報（第４−５頁、第１図）
【発明の概要】
【発明が解決しようとする課題】
【０００５】
光源部が回転軸を中心に回転され、回転軸に沿って上下移動される構成の照明装置は、駆動部として水平回転用モータおよび上下移動用モータを具備することになるので、器具本体が大型化し、高価になるとともに、用途が制限されるという欠点を有する。
本実施形態は、簡素な構成であって配光が容易に可変可能な照明装置を提供することを目的とする。
【課題を解決するための手段】
【０００６】
本実施形態のＬＥＤ照明装置は、ＬＥＤモジュール、装置本体および点灯装置を有して構成される。
【０００７】
ＬＥＤモジュールは、基板、第１のＬＥＤ群および第２のＬＥＤ群を有して成る。第１のＬＥＤ群は、基板の一面側に複数個のＬＥＤが直列接続で設けられたものである。第２のＬＥＤ群は、複数個のＬＥＤが直列接続されかつ第１のＬＥＤ群に逆並列接続で設けられたものである。そして、第１のＬＥＤ群および第２のＬＥＤ群は、基板上で非回転対称位置になるように配置されている。
【０００８】
装置本体は、少なくともＬＥＤモジュールを配設している。そして、点灯装置は、ＬＥＤモジュールの第１および第２のＬＥＤ群に交流電圧を出力し、第１および第２のＬＥＤ群を交互にかつ異なる出力比率で点灯可能に形成されている。
【発明の効果】
【０００９】
本発明の実施形態によれば、第１および第２のＬＥＤ群に印加される交流電圧の１周期当たりの印加時間比を所望に制御することにより、第１および第２のＬＥＤ群の光出力が変化するので、ＬＥＤモジュールからの放射光の配光を所望に可変できることが期待できる。
【図面の簡単な説明】
【００１０】
【図１】本発明の実施形態を示すＬＥＤ照明装置の概略斜視図である。
【図２】同上、ＬＥＤ照明装置を示し、（ａ）は概略上面図、（ｂ）概略正面図である。
【図３】同上、ＬＥＤ照明装置の一部切り欠き概略側面図である。
【図４】同上、直管形ＬＥＤランプの概略正面図である。
【図５】同上、直管形ＬＥＤランプの概略側断面図である。
【図６】同上、ＬＥＤモジュールの概略上面図である。
【図７】同上、点灯装置の概略回路図である。
【図８】同上、交流矩形波電圧の波形図である。
【図９】同上、ＬＥＤ照明装置の概略配光図である。
【発明を実施するための形態】
【００１１】
以下、本発明の一実施の形態について、図面を参照して説明する。本実施形態のＬＥＤ照明装置１は、天井面に直付けされる照明器具（ベースライト）であり、図２に示すように、装置本体としての器具本体２、直管形ＬＥＤランプ３および点灯装置４を有して構成されている。器具本体２は、例えば冷間圧延鋼板からなり、図１に示すように、端板５，５および反射板６を有する長形の箱体に形成されている。そして、器具本体２は、その長手方向の両端側２ａ，２ｂに直管形ＬＥＤランプ３が着脱される一対のソケット７，８を取り付けている。
【００１２】
また、器具本体２は、図３に示すように、天井面にねじ等により取り付けられる長形のベース板９を備えている。ベース板９は、その短手方向両側が直角に折曲されて折り返し部１０ａを有する垂下部１０に形成されている。そして、器具本体２の長手方向両端側２ａ，２ｂにおいて、それぞれ支持板１１が取り付けられており、この支持板１１に反射板６がローレットねじ１２により取り付けられている。反射板６は、長形であって長手方向と直交する断面が略五角形である箱状に形成されている。
【００１３】
また、ベース板９は、器具本体２の長手方向両端側２ａ，２ｂの端板５，５側において、それぞれ固定板１３，１３が取り付けられている。この固定板１３，１３にソケット７，８がそれぞれ取り付けられている。反射板６の底部６ａには、ソケット７，８を挿通する不図示の挿通孔が設けられている。
【００１４】
また、ベース板９は、支持板１１，１１間において、図２（ａ）に示すように点灯装置４および端子台１４，１５が不図示のねじにより取り付けている。そして、ベース板９には、外部電源からの電源線を引き込むための電線用穴１６、調光信号を伝送する調光線を引き込むための信号用穴１７が設けられ、さらに器具本体２を天井面にボルトで取り付けるためのボルト用穴１８，１８などが設けられている。器具本体２は、図２（ｂ）に示すように、一対のソケット７，８に直管形ＬＥＤランプ３を取り付けるように長手方向の寸法（大きさ）が設定されている。
【００１５】
直管形ＬＥＤランプ３は、図４に示すように、ＬＥＤモジュール１９、管体２０および口金２１，２２を有して構成されている。ＬＥＤモジュール１９は、直管形ＬＥＤランプ３の全長に応じて、１個ないし複数個が設けられる。
【００１６】
ＬＥＤモジュール３は、図６に示すように、基板２３、複数個のＬＥＤ（発光ダイオード）２４およびコネクタ２５，２６を有して形成されている。基板２３は、電気絶縁性のリジット基板であり、ガラスエポキシ材などの合成樹脂板からなり、長尺の長方形に形成されている。例えば、短手（幅）方向の寸法が２０ｍｍ、長手方向の寸法が２５０ｍｍの長方形に形成されている。また、基板２３の板厚は、例えば１．６ｍｍである。
【００１７】
複数個のＬＥＤ２４は、例えば白色光を放射する表面実装型のＬＥＤパッケージからなり、基板２３の一面２３ａ側に実装されている。そして、複数個のＬＥＤ２４は、基板２３の短手方向の中央部において長手方向に沿って等間隔例えば７ｍｍで所定のパターンとしての直線上に実装された第１のＬＥＤ群２８と、基板２３の短手方向両端部において長手方向に沿って等間隔で実装された第２のＬＥＤ群２９，２９とにグループ分けされている。そして、第２のＬＥＤ群２９，２９のそれぞれの複数個のＬＥＤ２４は、第１のＬＥＤ群２８に所定の間隔例えば５ｍｍで沿うように設けられているとともに、第１のＬＥＤ群２８のＬＥＤ２４の極性に対して逆向きとなるように実装されている。すなわち、第１のＬＥＤ群２８と、第２のＬＥＤ群２９，２９とは、基板２上で非回転対称位置となるように設けられている。ここで、非回転対称位置とは、基板２のどの位置を中心として回転しても、第１のＬＥＤ群２８および第２のＬＥＤ群２９，２９が互いの位置に配置しないことを意味する。
【００１８】
そして、第１のＬＥＤ群２８および第２のＬＥＤ群２９，２９は、それらの複数個のＬＥＤ２４がそれぞれ基板２３の一面２３ａに形成された例えば銅箔からなる不図示の配線パターンにより直列接続されている。また、第１のＬＥＤ群２８および第２のＬＥＤ群２９，２９において、基板２３の長手方向両端側２３ｃ，２３ｄの最端のＬＥＤ２４，２４は、それぞれコネクタ２５，２６の図示しない一方の端子に不図示の配線パターンにより接続されている。また、基板２３の一面２３ａには、コネクタ２５，２６の図示しない他方の端子同士を電気接続する別の不図示の配線パターンが長手方向に沿って形成されている。コネクタ２５は、点灯装置４に接続される。また、コネクタ２６は、複数個のＬＥＤモジュール１９が用いられるときの接続端子（中継端子）となっている。
【００１９】
こうして、第１のＬＥＤ群２８および第２のＬＥＤ群２９，２９のそれぞれの複数個のＬＥＤ２４は、それぞれ直列接続されているとともに、第１のＬＥＤ群２８と第２のＬＥＤ群２９，２９とは逆並列接続されている。そして、第１のＬＥＤ群２８および第２のＬＥＤ群２９，２９は、それらの直列接続された複数個のＬＥＤ２４の合計順電圧が同等となるように設けられている。すなわち、第１のＬＥＤ群２８および第２のＬＥＤ群２９，２９のそれぞれの両端間に同電圧が印加したときに、第１のＬＥＤ群２８および第２のＬＥＤ群２９，２９に同等の電流が流れるようにしている。ここで、同等とは、数学的あるいは厳密な同等に限定されるものではなく、略同等を意味し、５％以内の相対的相違を許容するものである。
【００２０】
また、基板２３は、その長手方向に複数個の取付け孔３０が設けられている。そして、基板２３は、ＬＥＤ２４およびコネクタ２５，２６を除く一面２３ａに白色反射層３１が塗布されている。なお、基板２３は、熱伝導性を有する金属例えばアルミニウム（Ａｌ）で形成されてもよく、この場合、少なくとも一面２３ａに絶縁被膜などが形成される。また、基板２３は、そのものが絶縁性を有するセラミック板などで形成してもよい。
【００２１】
そして、ＬＥＤモジュール１９は、図５に示すように、取付け体３２に取り付けられている。取付け体３２は、軽量であって高熱伝導率を有する金属例えばアルミニウム（Ａｌ）からなり、略蒲鉾形に形成されている。すなわち、取付け体３２は、平面部３２ａおよび後述する管体２０の内面２０ｂに沿う円弧状面３２ｂを有する円弧状柱体に形成され、その長手寸法が基板２３とほぼ同等または基板２３よりも幾分大きくなるように形成されている。そして、取付け体３２は、その円弧状面３２ｂが管体２０の内面２０ｂに載置するように設けられ、その平面部３２ａにＬＥＤモジュール１９を取り付けている。すなわち、基板２３の取付け孔３０を通した不図示のねじが平面部３２ａに形成された不図示のねじ孔に完全にねじ込まれている。基板２３の他面２３ｂは、取付け体３２の平面部３２ａに面接触している。
【００２２】
管体２０は、透光性の合成樹脂例えばポリカーボネート（ＰＣ）樹脂からなり、例えば外径２５ｍｍの円筒状に形成され、その長手方向に亘って取付け体３２を収容している。管体２０は、ＬＥＤモジュール１９の基板２３の一面２３ａが管体２０の中心軸２０ｃないし中心軸２０ｃよりも正対する内面２０ｂから幾分遠ざかる位置となるように収容している。すなわち、そのようになるように、取付け体３２の大きさが形成されている。
【００２３】
そして、管体２０は、取付け体３２の円弧状面３２ｂが載置される部分２０ｄが一定の厚さ例えば１．０ｍｍに形成され、ＬＥＤモジュール１９の第１のＬＥＤ群２８に正対する部分２０ｅから取付け体３２の平面部３２ａが位置する部分２０ｆに至る厚さが前記一定の厚さ（例えば１．０ｍｍ）から次第にかつ滑らかに増加するように形成されている。前記部分２０ｆの厚さは、例えば２．０〜２．５ｍｍとなっている。
【００２４】
図４において、口金２１，２２は、電気絶縁性の合成樹脂例えばポリブチレンテレフタレート（ＰＢＴ）樹脂からなり、管体２０とほぼ同外径を有する有底の円筒状に成型され、それぞれ管体２０の両端部２０ｇ，２０ｈに設けられている。そして、口金２１は、一対の給電用接触子３３，３３を配設し、口金２２は、１個の接地用接触子３４を配設している。一対の給電用接触子３３，３３は、口金２１内において不図示のリード線によりＬＥＤモジュール１９のコネクタ２５に接続されている。また、接地用接触子３４は、口金２２内において不図示のリード線により取付け体３２に接続されている。
【００２５】
こうして、ＬＥＤモジュール１９を取り付けている取付け体３２、この取付け体３２を収容している管体２０および口金２１，２２により組み立てられて、直管形ＬＥＤランプ３が形成されている。そして、図１または図２（ｂ）において、ソケット７は、口金２１の一対の給電用接触子３３，３３が差し込まれて接続される構造に形成され、ソケット８は、口金２２の１個の接地用接触子３４が差し込まれて接続される構造に形成されている。器具本体２は、ソケット７，８に直管形ＬＥＤランプが取り付けられることにより、ＬＥＤモジュール１９を配設している。
【００２６】
点灯装置４は、電源用穴１６から導入された不図示の電源線が接続され、外部の商用交流電源に接続されている。また、信号用穴１７から導入された不図示の信号線が接続され、外部の調光器に接続されている。そして、不図示の一対の出力線がソケット７に接続され、不図示のアース線がソケット８に接続されている。点灯装置４は、ＬＥＤモジュール１９の第１のＬＥＤ群２８および第２のＬＥＤ群２９，２９に交流矩形波電圧を出力し、第１のＬＥＤ群２８および第２のＬＥＤ群２９，２９を交互に点灯するとともに、外部の調光器からの調光信号に応じて第１のＬＥＤ群２８および第２のＬＥＤ群２９，２９を異なる出力比率または調光比率で点灯することのできる既知の構成により形成されている。図７に、その一例の点灯回路３５を示す。
【００２７】
点灯回路３５は、整流装置３６、フルブリッジインバータ回路３７および制御回路３８を有して形成されている。整流装置３６は、例えば整流器からなり、その入力側が電流ヒューズＦ１、コンデンサＣ１およびトランスＴ１からなるノイズフィルター回路３９を介して入力端子４０ａ，４０ｂに接続されている。入力端子４０ａ，４０ｂには、商用交流電源Ｖｓ（ＡＣ１００Ｖ）が接続されている。また、整流装置３６の出力側には、平滑用コンデンサＣ２が接続されている。整流装置３６および平滑用コンデンサＣ２により、平滑用コンデンサＣ２の両端間に直流電源が形成されている。
【００２８】
フルブリッジインバータ回路３７は、直並列接続された４個のスイッチング素子Ｑ１〜Ｑ４を有して形成されている。ここで、スイッチング素子Ｑ１〜Ｑ４は、例えば電界効果トランジスタが用いられている。すなわち、スイッチング素子Ｑ１，Ｑ２の直列回路と、スイッチング素子Ｑ３，Ｑ４の直列回路とがそれぞれ平滑用コンデンサＣ２の両端間に接続されている。そして、スイッチングＱ１およびスイッチングＱ２の中点Ａ１が出力端子４１ａに接続され、スイッチングＱ３およびスイッチングＱ４の中点Ａ２が出力端子４１ｂに接続されている。スイッチング素子Ｑ１〜Ｑ４のそれぞれのゲートは、制御回路３８に接続されている。
【００２９】
出力端子４１ａ，４１ｂは、器具本体２のソケット７、直管形ＬＥＤランプ３の口金２１および抵抗Ｒ１を介してＬＥＤモジュール１９の逆並列接続された第１のＬＥＤ群２８および第２のＬＥＤ群２９，２９に接続されている。ここで、抵抗Ｒ１は、例えばスイッチング素子Ｑ１〜Ｑ４の短絡等の事故により、ＬＥＤモジュール１９側に過電流が流れることを抑制するものであり、ＬＥＤモジュール１９または点灯装置４のいずれに設けられてもよい。
【００３０】
制御回路３８は、外部の調光器４２からの調光信号に応じてフルブリッジインバータ回路３７のスイッチング素子Ｑ１〜Ｑ４をオンオフ制御し、出力端子４１ａ，４１ｂから交流矩形波電圧を出力するように形成されている。すなわち、制御回路３８は、スイッチング素子Ｑ１，Ｑ４を同時にオンオフ制御し、スイッチング素子Ｑ２，Ｑ３を同時にオンオフ制御するとともに、それらを所定のデューティ（時間）で交互にオンオフ制御するように形成されている。スイッチング素子Ｑ１，Ｑ４が同時にオンすると、平滑用コンデンサＣ２からの電流がＬＥＤモジュール１９の第１のＬＥＤ群２８に流れる。また、スイッチング素子Ｑ２，Ｑ３が同時にオンすると、平滑用コンデンサＣ２からの電流が第２のＬＥＤ群２９，２９に流れる。これにより、出力端子４１ａ，４１ｂには、図８（ａ）に示すように、例えば正負のデューティＤ１，Ｄ２が同等の矩形波電圧が出力する。
【００３１】
第１のＬＥＤ群２８に電流が流れると、その複数個のＬＥＤ２４が点灯して白色光が放射される。また、第２のＬＥＤ群２９，２９に電流が流れると、それらの複数個のＬＥＤ２４が点灯して白色光が放射される。すなわち、交流矩形波電圧に応じて、第１のＬＥＤ群２８および第２のＬＥＤ群２９，２９から交互に白色光が放射される。ここで、制御回路３８は、交流矩形波電圧の周波数が５００Ｈｚ以上、例えば１ＫＨｚとなるように、スイッチング素子Ｑ１〜Ｑ４をオンオフ制御するように形成されている。第１のＬＥＤ群２８および第２のＬＥＤ群２９，２９が交互に点灯しても、その点灯によるちらつきを防止している。
【００３２】
そして、外部の調光器４２からの調光信号に応じて、ＬＥＤモジュール１９からの光出力（出力比率）が一定の状態で、第１のＬＥＤ群２８および第２のＬＥＤ群２９，２９のそれぞれの出力比率を制御可能に形成されている。例えば、図８（ｂ）に示すように、調光信号に応じて、一周期のデューティが一定の状態で正のデューティＤ１を負のデューティＤ２よりも小さくなるように制御する。これにより、第１のＬＥＤ群２８からの光出力が減少し、第２のＬＥＤ群２９，２９からの光出力が増加する。
【００３３】
また、制御回路３８は、外部の調光器４２からの調光信号に応じて、第１のＬＥＤ群２８および第２のＬＥＤ群２９，２９をそれぞれ個別に調光点灯するように形成されている。すなわち、第２のＬＥＤ群２９，２９を調光させるときには、スイッチング素子Ｑ２，Ｑ３のオン期間を調光信号に応じたデューティに制御する。交流矩形波電圧の負のデューティは、図８（ｃ）に示すように、休止期間Ｓ２分減少したものとなる。
【００３４】
また、制御回路３８は、正負のデューティが同等の状態から第１のＬＥＤ群２８および第２のＬＥＤ群２９，２９をそれぞれ個別に調光点灯することのできるように形成されている。すなわち、第１のＬＥＤ群２８を調光させるときには、スイッチング素子Ｑ１，Ｑ４のオン期間を調光信号に応じたデューティに制御する。交流矩形波電圧の正のデューティは、図８（ｄ）に示すように、一定のデューティＤ１の終了時点から休止期間Ｓ１が減じたものとなる。また、第２のＬＥＤ群２９，２９を調光させるときには、スイッチング素子Ｑ２，Ｑ３のオン期間を調光信号に応じたデューティに制御する。交流矩形波電圧の負のデューティは、図８（ｅ）に示すように、一定のデューティＤ２の終了時点から休止期間Ｓ２が減じたものとなる。
【００３５】
こうして、制御回路３８は、外部の調光器４１からの調光信号に応じて正負のデューティＤ１，Ｄ２に休止期間Ｓ１，Ｓ２を有する交流矩形波電圧を出力するように形成されている。第１のＬＥＤ群２８は、休止期間Ｓ１分、電流が流れる期間が短くなって調光点灯され、第２のＬＥＤ群２９，２９は、休止期間Ｓ２分、電流が流れる期間が短くなって調光点灯される。すなわち、第１のＬＥＤ群２８および第２のＬＥＤ群２９，２９は、休止期間Ｓ１，Ｓ２により異なる出力比率で点灯される。休止期間Ｓ１，Ｓ２は、一定のデューティＤ１，Ｄ２のどの時点に設けられてもよい。
【００３６】
次に、本実施形態の作用について述べる。ＬＥＤ照明装置１の点灯装置４に商用交流電源Ｖｓが供給されると、点灯装置４は、動作し、出力端子４１ａ，４１ｂ間に正負の波高値およびデューティが同等の交流矩形波電圧を５００Ｈｚ以上例えば１ＫＨｚの周波数で出力する。交流矩形波電圧は、直管形ＬＥＤランプ３のＬＥＤモジュール１９に設けられている第１のＬＥＤ群２８および第２のＬＥＤ群２９，２９のそれぞれの両端間に印加される。
【００３７】
第１のＬＥＤ群２８は、交流矩形波電圧の正のデューティのときに順方向となるので、電流が流れて点灯する。また、第２のＬＥＤ群２９，２９は、交流矩形波電圧の負のデューティのときに順方向となるので、電流が流れて点灯する。すなわち、第１のＬＥＤ群２８および第２のＬＥＤ群２９，２９は、交互に点灯し、それぞれ白色光を放射する。第１のＬＥＤ群２８および第２のＬＥＤ群２９，２９から放射された白色光は、管体２０を透過して、器具本体２の外部空間に出射される。ここで、第１のＬＥＤ群２８および第２のＬＥＤ群２９，２９から１ＫＨｚの周波数で交互に白色光が放射されるので、直管形ＬＥＤランプ３における放射光のちらつきが防止される。
【００３８】
そして、ＬＥＤモジュール１９は、第１のＬＥＤ群２８および第２のＬＥＤ群２９，２９の直列接続された複数個のＬＥＤ２４の合計順電圧（Ｖｆ）が同等となるように設けられているので、第１のＬＥＤ群２８および第２のＬＥＤ群２９，２９の両端間に正負の同波高値（同電圧）が印加することにより、第１のＬＥＤ群２８および第２のＬＥＤ群２９，２９にほぼ同等の電流が流れる。第１のＬＥＤ群２８および第２のＬＥＤ群２９，２９からそれぞれほぼ同等の白色光が放射される。これにより、直管形ＬＥＤランプ３の輝度むらが抑制される。
【００３９】
そして、点灯装置４は、外部の調光器４２から調光信号に応じて、第１のＬＥＤ群２８および第２のＬＥＤ群２９，２９の合計光出力（正負のデューティＳ１，Ｓ２の合計デューティ）が一定の状態で、第１のＬＥＤ群２８および第２のＬＥＤ群２９，２９の光出力を可変させる。すなわち、直管形ＬＥＤランプ３からの放射光が一定の状態で、第１のＬＥＤ群２８および第２のＬＥＤ群２９，２９は、異なる出力比率で点灯される。
【００４０】
また、点灯装置４は、外部の調光器４２から調光信号に応じて、正負のデューティＤ１，Ｄ２に休止期間Ｓ１，Ｓ２を有する交流矩形波電圧を出力する。第１のＬＥＤ群２８は、正のデューティＤ１から休止期間Ｓ１を減じた期間に亘って電流が流れることにより、調光点灯される。また、第２のＬＥＤ群２９，２９は、負のデューティＤ２から休止期間Ｓ２を減じた期間に亘って電流が流れることにより、調光点灯される。第１のＬＥＤ群２８および第２のＬＥＤ群２９，２９は、調光信号に応じて休止期間Ｓ１，Ｓ２が異なることにより、異なる調光比率で点灯される。こうして、第１のＬＥＤ群２８および第２のＬＥＤ群２９，２９は、それぞれ出力比率または調光比率に応じた白色光を放射する。
【００４１】
第１のＬＥＤ群２８は、基板２３の幅方向の中央部に設けられて、管体２０の厚さが立ち上がる部分２０ｅに正対するように設けられているので、管体２０を透過して放射される配光は、図９（ｂ）に示すように、集光的なものとなる。すなわち、調光信号が第１のＬＥＤ群２８のみを点灯させるものであると、ＬＥＤ照明器具１から集光的な照明光が得られる。
【００４２】
また、第２のＬＥＤ群２９，２９は、基板２３の幅方向の両端部に設けられ、管体２０の厚さが次第にかつ滑らかに増加する部分に正対するように設けられているので、管体２０を透過して放射される配光は、図９（ｃ）に示すように、ブロード的なものとなる。すなわち、調光信号が第２のＬＥＤ群２９，２９のみを点灯させるものであると、ＬＥＤ照明器具１から広い配光の照明光が得られる。
【００４３】
そして、第１のＬＥＤ群２８および第２のＬＥＤ群２９，２９の両方を例えば同じ出力比率または調光比率で点灯させると、図９（ａ）に示すように、第１のＬＥＤ群２８による配光および第２のＬＥＤ群２９，２９による配光が合成された集光およびブロード光の略卵形の配光が得られる。そして、第１のＬＥＤ群２８および第２のＬＥＤ群２９，２９のそれぞれの出力比率または調光比率を異ならせることにより、図９（ｂ）の集光的な配光から図９（ｃ）の広配光に至る任意の配光が得られる。こうして、第１のＬＥＤ群２８および第２のＬＥＤ群２９，２９のそれぞれの出力比率または調光比率を所望に設定することにより、ＬＥＤ照明器具１の配光が容易に可変される。
【００４４】
本実施形態のＬＥＤ照明装置１によれば、第１のＬＥＤ群２８および第２のＬＥＤ群２９，２９に印加される交流矩形波電圧の正負のデューティを所望に制御することにより、第１のＬＥＤ群２８および第２のＬＥＤ群２９，２９の光出力が変化するので、ＬＥＤ照明装置１の放射光の配光を簡素な構成で容易にかつ所望に可変できるという効果を有する。
【００４５】
また、ＬＥＤモジュール１９の第１のＬＥＤ群２８および第２のＬＥＤ群２９，２９は、それらの直列接続された複数個のＬＥＤ２４の合計順電圧（Ｖｆ）が同等となるように設けられているので、第１のＬＥＤ群２８および第２のＬＥＤ群２９，２９にほぼ同等の電流が流れて、第１のＬＥＤ群２８および第２のＬＥＤ群２９，２９からほぼ同等の白色光を放射させることができて。これにより、直管形ＬＥＤランプ３の輝度むらを抑制することができるという効果を有する。
【００４６】
また、点灯装置４は、外部の調光器４２からの調光信号に応じて正負のデューティＤ１，Ｄ２に休止期間Ｓ１，Ｓ２を有する交流矩形波電圧を出力するので、第１のＬＥＤ群２８および第２のＬＥＤ群２９，２９を異なる調光比率で点灯させることができ、簡素な構成で、ＬＥＤ照明装置１の放射光の配光を容易にかつ所望に可変できるという効果を有する。また、交流矩形波電圧を出力するので、正負のデューティＤ１，Ｄ２の比率を調光信号に応じて容易に設定できるという効果を有する。
【００４７】
なお、本実施形態において、第１のＬＥＤ群２８および第２のＬＥＤ群２９，２９は、同じ白色光を放射するものにしたが、これに限らず、互いに異なる発光色を放射するものであってもよい。この場合、第１のＬＥＤ群２８および第２のＬＥＤ群２９，２９からの異なる色光を所望に混合させることが可能であり、所望の色度を有する照明光を得ることができる。
【００４８】
また、第１のＬＥＤ群２８および第２のＬＥＤ群２９，２９は、ＬＥＤ２４として表面実装形のＬＥＤ（パッケージ品）を用いたが、これに限らず、ＬＥＤチップを用いたものであってもよい。また、点灯装置４は、例えば正弦波の交流電圧を出力するように形成されたものであってもよく、正負のデューティＤ１，Ｄ２の一方に休止期間Ｓ１，Ｓ２を有する交流電圧を出力するものであってもよい。また、ＬＥＤ照明器具１は、直付け形に構成したが、吊下げ形や埋込み形であってもよい。また、ＬＥＤモジュール１９は、環状に形成し、環形の照明器具やＧＸ５３形のランプなどに用いてもよい。
【００４９】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５０】
１…ＬＥＤ照明装置、  ２…装置本体としての器具本体、  ４…点灯装置、  １９…ＬＥＤモジール、  ２３…基板、  ２４…ＬＥＤ、  ２８…第１のＬＥＤ群、  ２９…第２のＬＥＤ群
【図１】
2014216289.tif 000003
【図２】
2014216289.tif 000004
【図３】
2014216289.tif 000005
【図４】
2014216289.tif 000006
【図５】
2014216289.tif 000007
【図６】
2014216289.tif 000008
【図７】
2014216289.tif 000009
【図８】
2014216289.tif 000010
【図９】
2014216289.tif 000011